(57)【要約】  【課題】取扱い性に優れたカバーフィルム付きＰＴＰ包装体を提供する。【解決手段】内容物を収容するための収容部が形成された容器用シートと、当該収容部の蓋材シートからなるＰＴＰ包装体であって、（１）蓋材シートが、アルミニウム箔層を含む基材と剥離可能な保護層との積層体であり、（２）蓋材シートの基材側に容器用シートが積層されており、（３）１又は２以上の容器ごとに分割するための容器分割用切り込みが容器用シート側から設けられ、かつ、保護層の掴みしろを形成するための掴みしろ用切り込みが保護層側から設けられ、（４）基材と保護層との界面部が、ａ）剥離可能な弱接着処理領域及びｂ）接着処理が施されていない非接着処理領域からなり、（５）収容部の一部又は全部が、弱接着処理領域上に存在する、ことを特徴とするＰＴＰ包装体。【選択図】なし【特許請求の範囲】
【請求項１】
内容物を収容するための収容部が形成された容器用シートと、当該収容部の蓋材シートからなるＰＴＰ包装体であって、
（１）蓋材シートが、アルミニウム箔層を含む基材と剥離可能な保護層との積層体であり、
（２）蓋材シートの基材側に容器用シートが積層されており、
（３）１又は２以上の容器ごとに分割するための容器分割用切り込みが容器用シート側から設けられ、かつ、保護層の掴みしろを形成するための掴みしろ用切り込みが保護層側から設けられ、
（４）基材と保護層との界面部が、ａ）剥離可能な弱接着処理領域及びｂ）接着処理が施されていない非接着処理領域からなり、
（５）収容部の一部又は全部が、弱接着処理領域上に存在する、
ことを特徴とするＰＴＰ包装体。
【請求項２】
弱接着処理領域の剥離強度が０．５（Ｎ／１５ｍｍ巾）以上であり、非接着処理領域の剥離強度が０．５（Ｎ／１５ｍｍ巾）未満である請求項１記載のＰＴＰ包装体。
【請求項３】
弱接着処理領域が、接着剤層及び当該接着剤層の上面又は下面に点状に設けられた剥離コート層により形成されている請求項１又は２に記載のＰＴＰ包装体。
【請求項４】
弱接着処理領域が、点状に設けられた接着剤層により形成されている請求項１又は２に記載のＰＴＰ包装体。
【請求項５】
非接着処理領域が、接着剤層及び当該接着剤層の上面又は下面に全面に設けられた剥離コート層により形成されている請求項１又は２に記載のＰＴＰ包装体。
【請求項６】
非接着処理領域が、接着剤層を形成しないで形成されている請求項１又は２に記載のＰＴＰ包装体。
【請求項７】
ＰＴＰ包装体の平面図において、容器分割用切り込みと掴みしろ用切り込みとが交差するように設けられている請求項１〜６のいずれかに記載のＰＴＰ包装体。
【請求項８】
ＰＴＰ包装体の平面図において、容器分割用切り込みと掴みしろ用切り込みにより囲まれた領域が形成されるように、容器分割用及び掴みしろ用切り込みが設けられている請求項１〜７のいずれかに記載のＰＴＰ包装体。
【請求項９】
当該領域がそれぞれ１０ｍｍ2以上の面積を有する請求項８記載のＰＴＰ包装体。
【請求項１０】
当該領域の合計がＰＴＰ包装体の全面積に対して１０％以上である請求項８又は９に記載のＰＴＰ包装体。
【請求項１１】
基材が、容器用シート側から順に、少なくともアルミニウム箔層、印刷層及び透明保護層を有する請求項１〜１０のいずれかに記載のＰＴＰ包装体。
【請求項１２】
収容部に内容物が収容されてなる請求項１〜１１のいずれかに記載のＰＴＰ包装体。
【請求項１３】
請求項１〜１２のいずれかに記載のＰＴＰ包装体に用いられる基材と保護層からなる蓋材シートを製造する方法であって、基材と保護層とを積層するに先立って、予め保護層に掴みしろ用切り込みを設ける工程を有する製造方法。
【発明の詳細な説明】
【技術分野】
【０００１】
本発明は、医薬品、芳香剤、化学品、菓子類等の包装体に関する。特に、錠剤、カプセル剤等の薬剤を収容・保存するプレススルーパックに関する。本発明は、カバーフィルム付きのＰＴＰ包装体に関する。
【背景技術】
【０００２】
従来のプレススルーパック包装体（以下「ＰＴＰ包装体」という。）は、開封の容易さに重点を置いて設計されており、老人や子供であっても簡単に開封でき、内容物を取り出すことができる。そのため、従来のＰＴＰ包装体では、内容物の誤飲等が生じるおそれがある。
【０００３】
このため、例えばＰＴＰ包装体の蓋材として印刷層、コーティング層を有するアルミニウム箔等のように容易に破れる素材の外側にさらにもう１層を保護層（いわゆるチャイルドプルーフ）として設ける方法が提案されている（特許文献１）。
【０００４】
上記包装体では、接着層と保護層（カバーフィルム）の間に剥離層を設け、容易に手で剥がせる程度の弱い力で両層が接着されている。そして、図９及び図１０に示すように、複数の容器を分けるための切り込み（容器用ミシン目）が容器用シート側から設けられ、一方「掴みしろ」を取り出すための切り込み（掴みしろ用ミシン目）が保護層から設けられている。そして、内容物を取り出す場合は、まず「掴みしろ」から保護層を剥がし、次いでアルミニウム箔を押し破ることにより内容物を取り出すことができる。
【０００５】
しかしながら、上記のような従来のＰＴＰ包装体では、「掴みしろ」を取り出すときに掴みしろが途中で切れやすく、内容物が取り出しにくくなることがある。特に、図１１に示すように、容器用ミシン目と掴みしろ用ミシン目が平面的にみて交差しているような場合、上記問題はより顕著になる。
【特許文献１】登録実用新案第２５１２１４２号公報
【発明の開示】
【発明が解決しようとする課題】
【０００６】
上記のような現象は、容器にヒートシールされた蓋材と保護層とが接着されることにより、蓋材と保護層とが一体的な挙動を示すために生じる。この現象は、蓋材と保護層との接着強度を高くすればするほど起きやすくなる。
【０００７】
このため、接着強度を下げることも考えられるが、掴みしろ以外の保護層も剥がれたり、あるいは保護層を剥がさなくても内容物を取り出すことが可能になり、チャイルドプルーフとしての機能が損なわれてしまう。
【０００８】
また、保護層の厚みを増して容器用ミシン目の位置で保護層が破れないようにする方法も考えられる。ところが、通常は容器シートと蓋材をヒートシールするときの熱は、容器シートと反対側、すなわち保護層側から加えられるため、保護層の厚みが厚いと熱が十分に伝わらず、シール不良となる。シール不良を避けるためにより高温でヒートシールしたり、保護層の耐熱性を高めると、生産性が著しく低下する。
【０００９】
従って、本発明の主な目的は、保護層の剥離が容易かつ確実に行うことができるカバーフィルム付きＰＴＰ包装体を提供することにある。
【課題を解決するための手段】
【００１０】
本発明者は、従来技術の問題点を解決するために鋭意研究を重ねた結果、特定の構成を採用することによって上記目的を達成できることを見出し、本発明を完成するに至った。
【００１１】
すなわち、本発明は、下記のＰＴＰ包装体に係る。
【００１２】
１．  内容物を収容するための収容部が形成された容器用シートと、当該収容部の蓋材シートからなるＰＴＰ包装体であって、
（１）蓋材シートが、アルミニウム箔層を含む基材と剥離可能な保護層との積層体であり、
（２）蓋材シートの基材側に容器用シートが積層されており、
（３）１又は２以上の容器ごとに分割するための容器分割用切り込みが容器用シート側から設けられ、かつ、保護層の掴みしろを形成するための掴みしろ用切り込みが保護層側から設けられ、
（４）基材と保護層との界面部が、ａ）剥離可能な弱接着処理領域及びｂ）接着処理が施されていない非接着処理領域からなり、
（５）収容部の一部又は全部が、弱接着処理領域上に存在する、
ことを特徴とするＰＴＰ包装体。
【００１３】
２．  弱接着処理領域の剥離強度が０．５（Ｎ／１５ｍｍ巾）以上であり、非接着処理領域の剥離強度が０．５（Ｎ／１５ｍｍ巾）未満である前記項１記載のＰＴＰ包装体。
【００１４】
３．  弱接着処理領域が、接着剤層及び当該接着剤層の上面又は下面に点状に設けられた剥離コート層により形成されている前記項１又は２に記載のＰＴＰ包装体。
【００１５】
４．  弱接着処理領域が、点状に設けられた接着剤層により形成されている前記項１又は２に記載のＰＴＰ包装体。
【００１６】
５．  非接着処理領域が、接着剤層及び当該接着剤層の上面又は下面に全面に設けられた剥離コート層により形成されている前記項１又は２に記載のＰＴＰ包装体。
【００１７】
６．  非接着処理領域が、接着剤層を形成しないで形成されている前記項１又は２に記載のＰＴＰ包装体。
【００１８】
７．  ＰＴＰ包装体の平面図において、容器分割用切り込みと掴みしろ用切り込みとが交差するように設けられている前記項１〜６のいずれかに記載のＰＴＰ包装体。
【００１９】
８．  ＰＴＰ包装体の平面図において、容器分割用切り込みと掴みしろ用切り込みにより囲まれた領域が形成されるように、容器分割用及び掴みしろ用切り込みが設けられている前記項１〜７のいずれかに記載のＰＴＰ包装体。
【００２０】
９．  当該領域がそれぞれ１０ｍｍ2以上の面積を有する前記項８記載のＰＴＰ包装体。
【００２１】
１０．当該領域の合計がＰＴＰ包装体の全面積に対して１０％以上である前記項８又は９に記載のＰＴＰ包装体。
【００２２】
１１．基材が、容器用シート側から順に、少なくともアルミニウム箔層、印刷層及び透明保護層を有する前記項１〜１０のいずれかに記載のＰＴＰ包装体。
【００２３】
１２．収容部に内容物が収容されてなる前記項１〜１１のいずれかに記載のＰＴＰ包装体。
【００２４】
１３．前記項１〜１２のいずれかに記載のＰＴＰ包装体に用いられる基材と保護層からなる蓋材シートを製造する方法であって、基材と保護層とを積層するに先立って、予め保護層に掴みしろ用切り込みを設ける工程を有する製造方法。
【発明の効果】
【００２５】
本発明ＰＴＰ包装体によれば、特に弱接着処理領域と非接着処理領域を有し、特定の切り込みが設けられているので、チャイルドプルーフ本来の機能を発揮しつつも、より容易かつ確実に内容物を取り出すことができる。
【００２６】
また、上記のような構成を採用することにより、例えば掴みしろの大きさ又は形状、収容部の大きさ又は形状を自由に設計することができる。
【００２７】
本発明ＰＴＰ包装体は、医薬品、芳香剤、化学品、菓子類等の包装に好適に用いることができる。
【発明を実施するための最良の形態】
【００２８】
本発明のＰＴＰ包装体は、内容物を収容するための収容部が形成された容器用シートと、当該収容部の蓋材シートからなるＰＴＰ包装体であって、
（１）蓋材シートが、アルミニウム箔層を含む基材と剥離可能な保護層との積層体であり、
（２）蓋材シートの基材側に容器用シートが積層されており、
（３）１又は２以上の容器ごとに分割するための容器分割用切り込みが容器用シート側から設けられ、かつ、保護層の掴みしろを形成するための掴みしろ用切り込みが保護層側から設けられ、
（４）基材と保護層との界面部が、ａ）剥離可能な弱接着処理領域及びｂ）接着処理が施されていない非接着処理領域からなり、
（５）収容部の一部又は全部が、弱接着処理領域上（又は下）に存在する、
ことを特徴とする。
【００２９】
図１に本発明ＰＴＰ包装体の断面構造を示す。本発明包装体の基本構成は、容器用シート１と蓋材シート２からなる。蓋材シート２は、基材３及び保護層（カバーフィルム）５が積層されている。容器用シート１は、蓋材シート２の基材側に積層されている。基材３とカバーフィルム５との間が界面部４となる。
【００３０】
本発明では、界面部４が、ａ）剥離可能な弱接着処理領域及びｂ）接着処理が施されていない非接着処理領域から構成されている。各領域の剥離強度（接着強度）は、ＰＴＰ包装体の用途、使用条件等に応じて適宜設定できるが、特に弱接着処理領域の剥離強度が０．５（Ｎ／１５ｍｍ巾）以上３．０（Ｎ／１５ｍｍ巾）以下であり、非接着処理領域の剥離強度が０．５（Ｎ／１５ｍｍ巾）未満とすることが望ましい。
【００３１】
各領域の形成方法は、所定の接着状態が確保できる限りは特に制限されない。例えば、本発明の実施形態の一つを示す図２のように、接着剤層及び当該接着剤層の上面又は下面に点状に設けられた剥離コート層により弱接着処理領域を形成することができる。例えば、本発明の実施形態の一つを示す図４のように、弱接着処理領域を、点状に設けられた接着剤層により形成することもできる。
【００３２】
また、非接着処理領域は、例えば図２に示すように、接着剤層及び当該接着剤層の上面又は下面に全面に設けられた剥離コート層により形成されていても良い。また、図４のように、非接着処理領域が、接着剤層を形成することなく非接着処理層を形成しても良い。接着剤層を形成しない場合（すなわち接着剤を使用しない場合）、剥離強度が０になることもあれば、互いに接触する材料どうしの本来の粘着性等により剥離強度が０．５（Ｎ／１５ｍｍ巾）未満となることもあり、いずれも本発明の非接着処理領域に包含される。
【００３３】
各領域のレイアウトも、ＰＴＰ包装体の用途、使用目的、内容物の形状・大きさ等に応じて適宜決定できる。特に、本発明では、弱接着処理領域及び非接着処理領域が、交互に配置されていることが望ましい。これにより、非接着領域に設けられた保護層（カバーフィルム）から容易に掴みしろを出すことができる。上記のような構成である限りは、どのようなレイアウトでも良いが、特に弱接着処理領域及び非接着処理領域が、ストライプ状（縦縞模様）に形成されていることがより望ましい。すなわち、ＰＴＰ包装体をカバーフィルム面側からみた場合（平面図で見た場合）において、各領域により縞模様が形成されているようにすることが好ましい。例えば、図６に示すように、それぞれ一定の幅の長方形からなる弱接着処理領域及び非接着処理領域が交互に並ぶような構成とすることができる。
【００３４】
弱接着処理領域は、収容部の一部又は全部が弱接着処理領域上に存在するように形成する。特に、図６に示すように、収容部の全部が弱接着処理領域上に存在するように、弱接着処理領域を形成することが望ましい。
【００３５】
本発明ＰＴＰ包装体では、１又は２以上の容器ごとに分割するための容器分割用切り込みが容器用シート側から設けられ、かつ、保護層の掴みしろを形成するための掴みしろ用切り込みが保護層側から設けられている。容器分割用切り込み及び掴みしろ用切り込みのパターンは、収容部の数、形状等に応じて適宜設定することができる。また、切り込みは、公知のＰＴＰ包装体で採用されているミシン目又はハーフカットの形成と同様にすれば良い。さらに、切り込みの深さは限定されず、蓋材シート、容器用シート等の材質等に応じて適宜決定することができる。
【００３６】
この場合、ＰＴＰ包装体の平面図（ＰＴＰ包装体（例えば保護層面）に対して垂直な上方からみた状態）において、この場合、容器分割用切り込みと掴みしろ用切り込みとが異なるような位置に設けておけば、ＰＴＰ包装体を容器分割用切り込みで分割する際に保護層のみが異なる位置で分割され、そこが「掴みしろ」となる。この場合、掴みしろ用切り込みの形状は、容器分割用切り込みに対して、例えば矩形波状、サインカーブのような左右（又は上下）に出入りがあるように設計することもできる。これにより、切り込みを挟んだ両側２つの容器の保護層がいずれも剥がしやすくできる。
【００３７】
特に、容器分割用切り込みと掴みしろ用切り込みとが交差するように設けられていることが好ましい。かかる構成をとることにより、容器分割用切り込みにより分割した場合、それに伴って掴みしろが基材から一部剥離した状態となりやすく、手による取扱いがより容易となる。
【００３８】
ＰＴＰ包装体の平面図において、容器分割用切り込みと掴みしろ用切り込みにより囲まれた領域が形成されるように、容器分割用及び掴みしろ用切り込みが設けられている場合には、その領域が一部剥離した状態になるので、それを手で引っ張ることにより容易に保護層を剥がすことができる。
【００３９】
上記領域の大きさは、手による取扱性、収容部の大きさ等を考慮すれば、それぞれ１０ｍｍ2以上（特に２０〜４０ｍｍ2）の面積を有することが好ましい。また、当該領域の合計がＰＴＰ包装体の全面積に対して１０％以上（特に１５〜２０％）とすることが望ましい。
【００４０】
本発明ＰＴＰ包装体の実施の形態の一例を図６に示す。図６は、収容部の上からＰＴＰ包装体を眺めた図である。この実施形態では、向かって右端から非接着処理領域１１及び弱接着処理領域１２が交互に設けられており、ストライプ状をなしている。図６の各弱接着処理領域内には、収容部が２つずつ配置されているが、１つずつでも良いし、あるいは３つ以上であっても良い。図６では、各非接着処理領域内に容器分割用切り込み及び掴みしろ用切り込みがそれぞれ設けられている。容器分割用切り込みは、弱接着処理領域どうしの中間付近に直線状に設けられている。掴みしろ用切り込みは、平面図でみて凹凸状に設けられている。また、断面構造において、図２に示されているように、容器分割用切り込みは容器用シート側から設けられ、掴みしろ用切り込みは保護層側から設けられていることが望ましい。
【００４１】
図６に示すようなＰＴＰ包装体を容器分割用切り込みで分割した場合、保護層も分断されると同時に基材から一部剥がれ、その剥がれた部分が掴みしろを形成することになる。これにより、内容物を容易かつ確実に取り出すことができる。
【００４２】
図２に具体的な積層構造の一例を示す。図２の包装体では、順に「カバーフィルム６／印刷層／剥離コート層７／接着剤層８／透明保護層９／印刷層１０／アルミニウム箔層１１／シーラントコート層１２／容器用シート」からなる構成が示されている。この場合、界面部は、剥離コート層７及び接着剤層８により形成されており、この界面部でカバーフィルム６が剥がれる。
【００４３】
カバーフィルム
カバーフィルムは、公知のＰＴＰ包装体で使用されている材料を適用することができる。例えば、ポリエチレンテレフタレート（ＰＥＴ）、ポリプロピレン等の樹脂フィルムが挙げられるほか、例えば透明保護層／アルミニウム箔／接着剤層／ＰＥＴ層からなるラミネート品であっても良い。
【００４４】
カバーフィルムの厚みは、ＰＴＰ包装体の用途、カバーフィルムの材質等によって異なる。例えば、通常の充填機によってシールすることを考慮する場合には、一般的に１６〜２５μｍ程度とすることが望ましい。
【００４５】
剥離コート層
剥離コート層は、剥離コート剤により形成することができる。剥離コート剤としては、例えばアクリル系、シリコン系、フッ素系等の公知の剥離コート剤を使用することができる。
【００４６】
剥離コート層は、接着剤層上に形成され、全面塗り（いわゆるベタ塗り）とすれば非接着状態とすることができる。また、部分的に形成する場合には、その占有面積に応じた剥離性（易剥離性）を付与することができる。従って、本発明では、弱接着処理層では部分コートとし、非接着処理領域では全面塗りとすれば良い。特に「部分コート（水玉模様等）／全面塗り」でストライプ状を形成すれば、弱接着処理領域／非接着処理領域のストライプが得られる。ストライプ状とすれば、見当合わせ（位置合わせ）が容易であることから、各層を構成する原反シートの長手方向（巻き取り方向、以下同じ。）と平行になるようなストライプとすることが好ましい。もちろん、ストライプの方向は特に制限されるものではなく、原反の長手方向と垂直になるようなストライプであっても良い。
【００４７】
剥離コート剤の塗布量は限定されないが、ベタ塗り部（無接着領域）では乾燥後重量で０．３〜１０ｇ／ｍ2程度、部分コート部（弱接着領域）では乾燥後重量で０．１〜３ｇ／ｍ2程度となるようにすることが望ましい。
【００４８】
剥離コート層の形成方法も限定されず、ハケ塗り、ローラー、スプレー等の塗布方法のほか、グラビア印刷、スクリーン印刷等の公知の印刷方法も適用することができる。
【００４９】
接着剤層
接着剤層は、公知の接着剤によって形成することができる。例えば、ポリウレタン系接着剤及びポリエステル系接着剤の少なくとも１種の接着剤を好適に用いることができる。接着剤の塗布量は限定的でないが、一般的には乾燥後重量で０．５〜１５ｇ／ｍ2程度となるようにすれば良い。
【００５０】
印刷層
各印刷層は、本発明では任意的な層である。印刷層の形成方法は限定的でなく、例えばグラビア印刷、スクリーン印刷、オフセット印刷等の公知の印刷方法に従えば良い。印刷層を形成する位置も限定的でなく、基材、カバーフィルム等のいずれであっても良く、また２つ以上の印刷層を形成しても良い。
【００５１】
また、印刷する内容は特に制限されず、ＰＴＰ包装体の用途、使用目的等に応じて適宜決定できる。例えば、医薬品を包装する場合には、いずれかの印刷層に薬剤名、注意書き等を印刷することができる。
【００５２】
透明保護層
透明保護層（いわゆるＯＰ層：オーバープリント層）は、特に印刷層を保護する目的で必要に応じて形成することができる。従って、例えば印刷層がカバーフィルム及び基材の双方に形成されている場合は、それぞれを保護するために透明保護層をそれぞれ設けることができる。
【００５３】
透明保護層を形成する材質としては、公知のＰＴＰ包装体で使用されている材料を使用することができる。例えば、ニトロセルロース系樹脂、エポキシ系樹脂等によって形成することができる。塗布量は、乾燥後重量で０．５〜５ｇ／ｍ2程度となるようにすれば良い。
【００５４】
アルミニウム箔層
アルミニウム箔層は、公知のＰＴＰ包装体で使用されているものと同様のものを使用することができる。例えば、ＪＩＳ（ＡＡ）の１０００系、８０００系等のアルミニウム箔を使用することができる。これらの中でも、硬質材（Ｈ材）を好適に用いることができる。
【００５５】
アルミニウム箔層の厚みは限定的ではないが、一般的には１０〜５０μｍ程度とすれば良い。
【００５６】
アルミニウム箔層は、基材に形成するほか、必要に応じてカバーフィルムにも形成することができる。
【００５７】
シーラントコート層
シーラントコート層は、蓋材シートと容器用シートとを効果的に積層するために必要に応じて形成することができる。
【００５８】
シーラントコート層は、公知のＰＴＰ包装体で使用されている材料と同様のもので形成することができる。例えば、ポリプロピレン、塩化ビニル−酢酸ビニル系共重合体等の樹脂類を好適に用いることができる。
【００５９】
シーラントコート層の厚みは、通常は乾燥後重量で０．５〜１５ｇ／ｍ2程度となるように設定することが好ましい。包装体製造時のヒートシール条件は、通常１４０〜２６０℃程度で１〜３秒程度である。シール後の断面形状は、連続する凹凸状（ギザギザ状）のメッシュシールとしても良い。
【００６０】
容器用シート
容器用シートは、公知のＰＴＰ包装体で使用されているものと同様にすれば良い。材質としては、例えばポリプロピレン、塩化ビニル等を使用すれば良い。その他にも、金属箔（例えばアルミニウム箔）の容器、合成樹脂と金属箔とのラミネート容器であっても良い。
【００６１】
これらの材料を用い、熱間真空成形、熱間圧空成形、プラグアシスト成形等により錠剤等の内容物を収容するための収容部を成形する。容器の厚みは限定的ではないが、通常は５０〜１００μｍ程度とすれば良い。
【００６２】
その他
本発明では、これらの層のほかにも、必要に応じてアンカーコート層、薄紙層、アルミニウム、アルミナ、シリカ等の蒸着層、プライマーコート層、遮光層等を設けることもできる。
【００６３】
本発明のＰＴＰ包装体の製造方法は、特に制限されず、従来のＰＴＰ包装体の製造方法に従って実施することができる。例えば、図２に示す断面構造をもつ包装体をつくる場合、まずカバーフィルム（ＰＥＴ）に印刷層を形成する。このとき、アクセサリーとしてライン（位置合わせ用ライン）も同時に印刷し、印刷層を形成することもできる。次いで、界面部を形成する。具体的には、剥離コートを印刷ラインの幅位置に合わせて（原反の巻き取り方向と平行になるストライプ状に）コートする。一方、アルミニウム箔上に印刷層を形成する。アルミニウム箔上の印刷層の形成時にもラインを設けても良い。印刷層上にＯＰ層を形成する。その後に、前記の剥離コートとＯＰ層とを接着剤で接着すれば良い。この場合、両者の位置合わせラインをラインセンサー等で検知しながら接着することもできる。その後に、内容物が収容された容器用シートと積層すれば良いが、容器用シートを積層する時期は特に限定されない。
【００６４】
本発明は、蓋材シートも包含する。本発明蓋材シートは、本発明ＰＴＰ包装体のうち容器用シートを除いた構成である。
【００６５】
本発明の蓋材シートの各構成については、本発明ＰＴＰ包装体の構成と同様にすれば良い。本発明蓋材シートは、ＰＴＰ包装体の製造に好適に使用することができる。例えば、公知の積層方法に従って容器用シートと積層することによってＰＴＰ包装体を作製することができる。
【実施例】
【００６６】
以下に実施例を示し、本発明の特徴を一層明確にする。ただし、本発明の範囲は、これら実施例に限定されるものではない。
（１）各図面中の用語は、それぞれ以下のような対応関係にある。
【００６７】
・ＰＥＴ：ポリエチレンテレフタレート層
・剥離コート：剥離コート層
・接着剤：接着剤層
・ＯＰコート：透明保護層
・印刷：印刷層
・アルミ箔：アルミニウム箔層
・シーラントコート：シーラントコート層
・弱接着領域：弱接着処理領域
・無接着領域：非接着処理領域
・ポケット：収容部
・保護シート又は保護フィルム：保護層（カバーフィルム）
・容器シート：容器用シート
（２）上記（１）の各層の形成には以下のような材料をそれぞれ用い、容器用シートと蓋材シートを作製し、平判シーラーで両シートをヒートシールにより積層することにより包装体を製造した。ヒートシール条件は、表１に示す温度で圧力３０Ｎ／ｃｍ2×０．１秒間とした。
【００６８】
・アルミ箔（カバーフィルム用）：アルミニウム箔（厚み７μｍ、１Ｎ３０、片ツヤ、軟質）
・アルミ箔（基材用）：アルミニウム箔（厚み２０μｍ、１Ｎ３０、片ツヤ、硬質）
・ＰＥＴ：ＰＥＴフィルム（厚み２５μｍ）、製品名「Ｅ５１００」東洋紡績製
・接着剤：２液硬化型ドライラミネート用接着剤、主剤として製品名「ＬＸ−５００」１０重量部、硬化剤として製品名「ＫＷ７５」１重量部（いずれも大日本インキ化学工業製）を用いた。塗布は、グラビアコートにより乾燥後重量３ｇ／ｍ2となる塗布量で実施した。塗布された塗膜を８０℃で乾燥した後、６０℃で接着した。
【００６９】
・ＯＰコート：ニトロセルロース系ＯＰコート剤を使用した。塗布は、グラビアコートにより乾燥後重量１．６ｇ／ｍ2となる塗布量で実施した。塗布された塗膜を１８０℃で乾燥した。
【００７０】
・剥離コート：剥離コート剤として、有機溶剤（メチルエチルケトンと酢酸エチルを１：１の重量比で混合したもの）にアクリル樹脂１７重量％及びワックス２重量％を含む液剤を使用した。塗布は、グラビアコート（＃１７５で版深度３３μｍのグラビア版）により実施した。塗布された塗膜を７０℃で乾燥した。
【００７１】
・シーラントコート：シーラントコート剤としてマレイン化ポリプロピレンを使用した。塗布は、グラビアコートにより乾燥後重量３．５ｇ／ｍ2となる塗布量で実施した。塗布された塗膜を２００℃で乾燥した。
【００７２】
・印刷（アルミ箔上への印刷）：ニトロセルロース系インキを使用した。塗布は、グラビアコート（＃１７５で版深度３３μｍのグラビア版）により実施した。塗布された塗膜を１８０℃で乾燥した。
【００７３】
・印刷（ＰＥＴ上への印刷）：ビニルウレタン系インキを使用した。塗布は、グラビアコート（＃１７５で版深度３３μｍのグラビア版）により実施した。塗布された塗膜を７０℃で乾燥した。
【００７４】
実施例１
図２に示す断面構造（積層構造）を有するＰＴＰ包装体を作製した。図６には、このＰＴＰ包装体の正面図（平面図；カバーフィルム面側から見た状態。但し収容部の位置を円状の破線で示している。以下同じ。）を示す。
【００７５】
図２に示すように、このＰＴＰ包装体は、ＰＥＴ、印刷（第１印刷層）、剥離コート、接着剤、ＯＰコート、印刷（第２印刷層）、アルミ箔（厚み２０μｍ）、シーラントコート及び容器用シートが順に積層された構成を有する。
【００７６】
この態様では、ＰＥＴ及び第１印刷層がカバーフィルムに該当し、剥離コート及び接着剤が界面部に該当し、ＯＰコート、第２印刷層、アルミ箔及びシーラントコートの積層部が基材に該当する。この構造では、保護シート（カバーフィルム）側及び容器用シート側からそれぞれ掴みしろ用切り込み及び容器分割用切り込みが設けられている。
【００７７】
実施例２
図３に示す断面構造を有するＰＴＰ包装体を作製した。図６には、このＰＴＰ包装体の平面図を示す。
【００７８】
図３に示すように、このＰＴＰ包装体は、ＰＥＴ、印刷（第１印刷層）、接着剤、剥離コート、ＯＰコート、印刷（第２印刷層）、アルミ箔（厚み２０μｍ）、シーラントコート及び容器用シートが順に積層された構成を有する。
【００７９】
この態様では、ＰＥＴ及び第１印刷層がカバーフィルムに該当し、剥離コート及び接着剤が界面部に該当し、ＯＰコート、第２印刷層、アルミ箔及びシーラントコートの積層部が基材に該当する。カバーフィルムであるＰＥＴを剥離した場合には、第１印刷層はＰＥＴ側に追従する。この構造では、保護シート（カバーフィルム）側及び容器用シート側からそれぞれ掴みしろ用切り込み及び容器分割用切り込みが設けられている。
【００８０】
実施例３
図４に示す断面構造を有するＰＴＰ包装体を作製した。図６には、このＰＴＰ包装体の平面図を示す。
【００８１】
図４に示すように、このＰＴＰ包装体は、ＰＥＴ、印刷（第１印刷層）、接着剤（及び無接着剤部）、ＯＰコート、印刷（第２印刷層）、アルミ箔（厚み２０μｍ）、シーラントコート及び容器用シートが順に積層された構成を有する。
【００８２】
この態様では、ＰＥＴ及び第１印刷層がカバーフィルムに該当し、接着剤及び無接着剤部が界面部に該当し、ＯＰコート、第２印刷層、アルミ箔及びシーラントコートの積層部が基材に該当する。この構造では、保護シート（カバーフィルム）側及び容器用シート側からそれぞれ掴みしろ用切り込み及び容器分割用切り込みが設けられている。
【００８３】
実施例４
図５に示す断面構造を有するＰＴＰ包装体を作製した。図６には、このＰＴＰ包装体の平面図を示す。
【００８４】
図５に示すように、このＰＴＰ包装体は、ＯＰコート、印刷（第１印刷層）、アルミ箔、接着剤、ＰＥＴ、剥離コート、接着剤、ＯＰコート、印刷（第２印刷層）、アルミ箔（厚み２０μｍ）、シーラントコート及び容器用シートが順に積層された構成を有する。
【００８５】
この態様では、ＯＰコート、印刷（第１印刷層）、アルミ箔、接着剤及びＰＥＴがカバーフィルムに該当し、剥離コート及び接着剤が界面部に該当し、ＯＰコート、印刷（第２印刷層）、アルミ箔及びシーラントコートの積層部が基材に該当する。この構造では、保護シート（カバーフィルム）側及び容器用シート側からそれぞれ掴みしろ用切り込み及び容器分割用切り込みが設けられている。
【００８６】
実施例５
図２に示す断面構造を有するＰＴＰ包装体を作製した。図７には、このＰＴＰ包装体の平面図を示す。
【００８７】
図２に示すように、このＰＴＰ包装体は、実施例１と同様の断面構造を有する。また、図７に示されているように、掴みしろ用切り込みが実施例１と異なり、円弧状のパターンが形成され、円弧状を二等分に分割するような切り込みも設けられている。
【００８８】
実施例６
図２に示す断面構造を有するＰＴＰ包装体を作製した。図８には、このＰＴＰ包装体の平面図を示す。
【００８９】
図２に示すように、このＰＴＰ包装体は、実施例１と同様の断面構造を有する。ただし、図８に示されているように、掴みしろ用切り込みが実施例１と異なり、Ｔ字型のパターンが形成されている。
【００９０】
比較例１
図９に示す断面構造を有するＰＴＰ包装体を作製した。図１１には、このＰＴＰ包装体の平面図を示す。
【００９１】
図９に示すように、このＰＴＰ包装体は、ＰＥＴ、印刷（第１印刷層）剥離コート、接着剤、ＯＰコート、印刷（第２印刷層）、アルミ箔（厚み２０μｍ）、シーラントコート及び容器用シートが順に積層された構成を有する。また、図１１のように、全面が弱接着処理領域から形成されており、非接着処理領域は存在しない。この構造では、保護シート（カバーフィルム）側及び容器用シート側からそれぞれ掴みしろ用切り込み及び容器分割用切り込みが設けられている。
【００９２】
比較例２
図１０に示す断面構造を有するＰＴＰ包装体を作製した。図１１には、このＰＴＰ包装体の平面図を示す。
【００９３】
図１０に示すように、このＰＴＰ包装体は、ＰＥＴ、印刷（第１印刷層）、ＰＥＴ、剥離コート、接着剤、ＯＰコート、印刷（第２印刷層）、アルミ箔（厚み２０μｍ）、シーラントコート及び容器用シートが順に積層された構成を有する。また、図１１のように、全面が弱接着処理領域から形成されており、非接着処理領域は存在しない。この構造では、保護シート（カバーフィルム）側及び容器用シート側からそれぞれ掴みしろ用切り込み及び容器分割用切り込みが設けられている。
【００９４】
試験例１
各実施例及び比較例で得られた包装体について、１）界面部における掴みしろの接着強度、２）界面部における収容部の接着強度、３）掴みしろの形成具合、４）保護層の熱損傷具合を調べた。その結果を表１に示す。
【００９５】
【表１】
2005170464.tif 000002
なお、表１の中の評価は以下のとおりである。
【００９６】
上記１）及び２）：剥離強度の測定は、オートグラフを用いた。測定条件は、Ｔ剥離、剥離速度２００ｍｍ／分とした。
【００９７】
上記３）：掴みしろの形成具合は、以下のように評価した。
【００９８】
「○」容器分割用切り込みで分割した時に掴みしろが現れる。
【００９９】
「×」容器分割用切り込みで分割した時に掴みしろも容器分割用切り込みで切れてしまい、掴みしろが現れない。
【０１００】
上記４）：保護層の熱損傷具合は、容器用シートと蓋材シートとをヒートシールした後の保護層の状態を観察し、以下のように評価した。
【０１０１】
「○」問題なくシールできる。
【０１０２】
「×」シール時に表層の基材が熱による損傷を受け、包装体として使用できない。
【図面の簡単な説明】
【０１０３】
【図１】本発明ＰＴＰ包装体の断面の基本構成を示す図である。
【図２】本発明ＰＴＰ包装体の積層構造の一例を示す図である。
【図３】本発明ＰＴＰ包装体の積層構造の一例を示す図である。
【図４】本発明ＰＴＰ包装体の断面構造の一例を示す図である。
【図５】本発明ＰＴＰ包装体の断面構造の一例を示す図である。
【図６】本発明ＰＴＰ包装体の一例の平面図（ＰＴＰ包装体を上方からみた図）である。
【図７】本発明ＰＴＰ包装体の一例の平面図（ＰＴＰ包装体を上方からみた図）である。
【図８】本発明ＰＴＰ包装体の一例の平面図（ＰＴＰ包装体を上方からみた図）である。
【図９】比較例のＰＴＰ包装体の断面構造を示す図である。
【図１０】比較例のＰＴＰ包装体の断面構造を示す図である。
【図１１】比較例のＰＴＰ包装体の平面図（ＰＴＰ包装体を上方からみた図）である。
【図１】
2005170464.tif 000003
【図２】
2005170464.tif 000004
【図３】
2005170464.tif 000005
【図４】
2005170464.tif 000006
【図５】
2005170464.tif 000007
【図６】
2005170464.tif 000008
【図７】
2005170464.tif 000009
【図８】
2005170464.tif 000010
【図９】
2005170464.tif 000011
【図１０】
2005170464.tif 000012
【図１１】
2005170464.tif 000013